(57)【要約】【課題】  デジタルスチルカメラの電源オフ時に発生したエラーをユーザーに確実に知らせる。【解決手段】  全体制御部２４は、電源スイッチ５３の電源オフ信号が入力された時に、フォーカスレンズ３３を退避させたり、レンズ鏡筒を沈胴させたり、レンズバリアを閉じる等の機構的な終了処理と、内部回路への電源供給を停止するシャットダウン処理とを実行する。終了処理中にエラーが発生すると、全体制御部２４はそのエラー内容を特定するエラー処理を実行し、エラー発生の事実とそのエラー内容とをエラー記憶部５０に記録する。デジタルスチルカメラの電源オン時には、内部回路への電源供給を開始する給電処理が行なわれ、その後に全体制御部２４によってエラー記憶部５０が参照される。そして、前回の電源オフ時にエラーが発生していた場合には、初期化処理が行なわれずに、ＬＣＤパネル５７にエラーメッセージが表示される。【選択図】        図３
2005079916.tif 000002
【特許請求の範囲】
【請求項１】
電源をオン／オフする電源スイッチと、電源をオンさせる電源オン処理と、電源をオフさせる電源オフ処理とを実行する制御手段と、電源オフ処理時に発生したエラーの内容を記憶する記憶手段と、エラーの内容を表示する表示手段と、エラーを強制的に終了させて通常動作に復帰させるエラー解除手段とを有し、制御手段は、電源オン処理時に記憶手段を参照して前回の電源オフ処理中のエラーを確認し、エラーが発生していた場合には、エラー解除手段によってエラーが解除されるまで、電源オン処理を中止し、かつ表示手段にエラーの内容を表示することを特徴とするカメラ機能付き携帯機器。
【請求項２】
前記電源オフ処理中に発生するエラーは複数種類あり、このエラーの種類に応じて表示手段に表示されるエラー表示が切り換えられることを特徴とする請求項１記載のカメラ機能付き携帯機器。
【請求項３】
前記表示手段には、エラー表示とともに、エラー解除手段による解除方法が表示されることを特徴とする請求項１又は２記載のカメラ機能付き携帯機器。
【発明の詳細な説明】
【技術分野】
【０００１】
本発明は、カメラ機能付き携帯機器に関し、更に詳しくは、電源オフ時に発生したエラーをユーザーに知らせることのできるカメラ機能付き携帯機器に関するものである。
【背景技術】
【０００２】
撮像光学系によって結像された被写体像をＣＣＤイメージセンサ等で撮像し、ＣＣＤイメージセンサから出力されたアナログ信号からデジタルの画像データを生成してメモリに記録するデジタルカメラが普及している。
【０００３】
不使用時のデジタルカメラを小型化して携帯性を向上させるために、レンズ鏡筒のカメラ本体への沈胴化が行なわれている。また、レンズ鏡筒が沈胴された後の開口から異物が侵入するのを防止するために、開口をバリアで閉じることも行なわれている。更に、レンズ鏡筒を沈胴させる際に、フォーカスレンズを邪魔にならない位置に退避させることも行なわれている。
【０００４】
沈胴化されたレンズ鏡筒，レンズバリア，フォーカスレンズの退避という機構を用いているデジタルカメラでは、電源オン時又は電源オフ時に、レンズ鏡筒の沈胴異常，レンズバリアの閉じ異常，フォーカスレンズの退避異常等の重大なエラーが発生することがある。電源オン時にエラーが発生した場合には、その後の撮影操作等に支障を来すことからエラーの発生に気がつきやすい。しかしながら、電源オフ時に上記エラーが発生しても、ユーザーは気がつかずにデジタルカメラの使用を終了してしまうことが多い。そのため、重大な障害が発生しているにも関わらず、ユーザーが気付かずにデジタルカメラを使用し続けてしまうため、修理不能な状態までカメラの機構の破壊が進んでしまうこともあった。
【０００５】
従来、エラーが発生した際に、エラーの内容をＬＣＤ等に表示して、ユーザーに知らせるデジタルカメラが発明されている（例えば、特許文献１参照）。
【０００６】
【特許文献１】特開２０００−２１７０６４号公報
【発明の開示】
【発明が解決しようとする課題】
【０００７】
特許文献１記載のデジタルカメラは、エラーの発生時にＬＣＤにエラー表示を行なってユーザーに知らせている。しかし、電源オフ時にはデジタルカメラに対するユーザーの注意が稀薄になるため、エラーの発生がユーザーに伝わりにくい。
【課題を解決するための手段】
【０００８】
本発明は、電源オフ処理時に発生したエラーの内容を記憶する記憶手段と、エラーの内容を表示する表示手段と、エラー表示を強制的に終了させて通常動作に復帰させるエラー解除手段とをカメラ機能付き携帯機器に設け、電源オン処理時に記憶手段を参照して前回の電源オフ処理中のエラーを確認し、エラーが発生していた場合にはエラー解除手段によってエラーが解除されるまで、電源オン処理を中止して、かつ表示手段にエラー内容を表示するようにした。
【０００９】
また、電源オフ処理中に発生するエラーが複数種類ある場合には、エラーの種類に応じて表示手段に表示されるエラー表示を切り換えるようにした。更に、表示手段には、エラー表示とともに、エラー解除手段によるエラーの解除方法を表示するようにした。
【発明の効果】
【００１０】
本発明のカメラ機能付き携帯機器によれば、電源をオンするたびに、前回の電源オフ処理時のエラーの有無、及びエラーの内容を確認することができる。これにより、エラーが頻発すればカメラ機能付き携帯機器が早急に修理に出されるようになるため、重大なエラーが発生した状態で使用し続けられるのを防止することができる。
【００１１】
また、エラーの種類に応じて表示手段に表示されるエラー表示が切り換えられるので、カメラ機能付き携帯機器の故障部位が特定しやすくなる。更に、エラー解除手段によるエラー解除方法も表示するようにしたので、カメラ機能付き携帯機器による撮影を継続させることもできる。
【発明を実施するための最良の形態】
【００１２】
図１（Ａ），（Ｂ）及び図２は、デジタルスチルカメラの外観形状を示す斜視図及び背面図である。デジタルスチルカメラ２の前面には、撮像レンズ３が組み込まれたレンズ鏡筒４と、光学ファインダ５とが設けられている。レンズ鏡筒４は、デジタルスチルカメラ２の電源がオンし、かつ撮影モードにセットされているときに前方に繰り出され、電源がオフされている時又は再生モードにセットされている時にはカメラ本体内に沈胴される。レンズ鏡筒４が出入りする開口６は、開閉式のレンズバリア７によって閉じられる。
【００１３】
デジタルスチルカメラ２の上面には、ストロボ光を放射するストロボ発光部１０と、回転操作によってモード選択が行なわれるモード選択ダイヤル１１と、シャッタボタン１２とが設けられている。側面には、ストロボ発光部１０をポップアップさせるストロボポップアップボタン１３と、メモリカード１４がセットされるメモリカードスロット１５とが設けられている。メモリカードスロット１５は、蓋部材１６によって閉じられる。
【００１４】
デジタルスチルカメラ２の背面には、電源をオン／オフする電源ボタン１８と、ズーム操作や各種設定操作に用いられる十字キー１９等を備えた操作パネル２０と、撮影中のスルー画や、撮影済み画像，各種設定メニュー等を表示する表示モニタ２１が設けられている。
【００１５】
図３は、デジタルスチルカメラ２の構成を示すブロック図である。デジタルスチルカメラ２は、マイクロコンピュータからなる全体制御部２４によって制御される。全体制御部２４は、ＣＰＵと、制御プログラムや制御データが記憶されたＲＯＭ，制御中に発生した一時データを記憶するＲＡＭ等からなる。
【００１６】
全体制御部２４に接続された撮像制御部２７は、マイクロコンピュータからなり、デジタルスチルカメラ２の撮像系統を制御する。デジタルスチルカメラ２の撮像系統は、ＣＣＤ固体撮像素子２８，信号処理部２９，画像生成部３０からなる。ＣＣＤ固体撮像素子２８は、ズームレンズ３１，絞り機構３２，フォーカスレンズ３３等からなる撮像光学系によって受光面に結像された被写体画像を撮像し、これを光電変換してアナログの撮像信号を出力する。
【００１７】
信号処理部２９は、ＣＣＤドライバや、相関２重サンプリング回路（ＣＤＳ），オートゲインコントローラ（ＡＧＣ），ＡＤコンバータ（ＡＤＣ）等からなる、いわゆるアナログ・フロント・エンド回路である。信号処理部２９は、ＣＣＤ固体撮像素子２８から入力されたアナログの撮像信号をＲＧＢからなるデジタルの画像データに変換する。
【００１８】
画像生成部３０は、信号処理部２９から入力されたＲＧＢの画像データに輝度レベル補正やホワイトバランス補正等の画質調整を施す。次いで、輝度信号と色差信号とに分離するＹＣ処理を施し、ＹＣ画像データを生成する。
【００１９】
撮像系統によって形成されたＹＣ画像データは、画像ファイル形成部３６によって固定長化処理や圧縮処理が施され、例えばｊｐｅｇ形式などの圧縮画像データに変換される。この圧縮画像データは、画像ファイル書込処理部３７によってメモリカード１４に記録される。
【００２０】
ズームレンズ３１，絞り機構３２，フォーカスレンズ３３は、それぞれドライバ回路を備えたズームモータ４０，アクチュエータ４１，フォーカスモータ４２によって駆動される。ズームレンズ３１の前方には、レンズバリア７を含むバリア機構４３が配置されている。このバリア機構４３は、バリアモータ４４によって駆動される。なお、レンズ鏡筒４の沈胴及び繰り出しには、ズームモータ４０が駆動源として用いられる。
【００２１】
全体制御部２４には、電源制御部４７，入力制御部４８，表示制御部４９，エラー記憶部５０が接続されている。電源制御部４７は、デジタルスチルカメラ２の電源系統を制御する。接続されているバッテリー５１から電力を供給するとともに、このバッテリー５１への充電制御や、ＡＣ電源接続時の電源制御も行なう。
【００２２】
入力制御部４８には、電源ボタン１８の操作によってオン／オフされる電源スイッチ５３や、モード選択ダイヤル１１，シャッタボタン１２，十字キー１９等の操作デバイス５４が接続されている。入力制御部４８は、これらの操作デバイス５４の操作信号を受信し、その操作信号に応じて全体制御部２４とともに各部の制御を行なう。
【００２３】
表示制御部４９は、入力された画像データをＮＴＳＣ等のコンポジット信号に変換して、表示モニタ２１を構成するカラーＬＣＤパネル５７に入力する。デジタルスチルカメラ２が撮影モードにある時には、画像生成部３０によって生成されたＹＣ画像データが画像メモリ５８を介して入力され、表示モニタ２１にスルー画が表示される。また、再生モードでは、画像ファイル読出処理回路５９がメモリカード１４から読み出した圧縮画像データが入力され、表示モニタ２１に撮影済みの画像が表示される。
【００２４】
エラー記憶部５０は、ＥＥＰＲＯＭ等の不揮発性メモリからなり、デジタルスチルカメラ２の電源オフ時にエラーが発生した場合に、そのエラーの発生事実と、エラー内容とが全体制御部２４によって記録される。電源オフ時に発生するエラーとしては、レンズバリア７の閉じ異常や、レンズ鏡筒４の沈胴異常、レンズ鏡筒４の沈胴時のフォーカスレンズ３３の退避異常などがある。電源オン時には、電源オフ時のエラーの有無を確認するために、エラー記憶部５０が全体制御部２４によって参照される。
【００２５】
画像ファイル転送部６２は、デジタルスチルカメラ２とパーソナルコンピュータ等とがＵＳＢ等を用いて接続された際に、選択された画像ファイルを転送する。
【００２６】
次に上記実施形態の作用について、図４及び図５のフローチャートを参照して説明する。撮影モードで使用中のデジタルスチルカメラ２の電源ボタン１８を操作すると、電源スイッチ５３の操作信号が入力制御部４８に入力される。全体制御部２４は、この操作信号に応じて電源オフ処理を実行する。
【００２７】
電源オフ処理は、各部の機械的な機構に終了動作を行なわせる終了処理と、内部回路への電源供給を停止するシャットダウン処理とからなる。終了処理では、例えば、フォーカスレンズ３３の退避位置への移動，レンズ鏡筒４の沈胴，レンズバリア７の閉鎖等の処理が行なわれる。しかし、この終了処理中に、フォーカスレンズ３３の退避移動に異常が発生したり、レンズ鏡筒４が沈胴しなくなったり、レンズバリア７が閉じられない等の異常が発生する場合がある。
【００２８】
デジタルスチルカメラ２の終了処理中にエラーが発生すると、全体制御部２４によってエラー処理が実施される。このエラー処理とは、ＲＯＭ等に記憶されているエラーデータ等を参照してエラー内容を判断する処理である。その後、エラー発生の事実とエラー内容とがエラー記憶部５０に記憶され、シャットダウン処理が実施される。
【００２９】
電源ボタン１８を操作してデジタルスチルカメラ２の電源をオンすると電源オン処理が実施される。この電源オン処理は、内部回路に電源を供給する給電処理と、その時にセットされているモードに応じてレンズバリア７を開放したり、フォーカスレンズ３３を撮影位置に移動させたり、レンズ鏡筒４を前方に繰り出す等の初期化処理からなる。
【００３０】
なお、給電処理の終了後、全体制御部２４はエラー記憶部５０を参照する。エラー記憶部５０にエラー発生の事実とエラー内容とが記録されている場合には、全体制御部２４は初期化処理を実施しない。そして、ＲＯＭからエラー内容に該当するエラーメッセージを読み出して表示制御部４９に入力し、表示モニタ２１にエラーメッセージを表示させる。
【００３１】
例えば、レンズ鏡筒４にエラーが発生した場合には、図２に示すように、レンズ鏡筒４のエラーに関するメッセージが表示される。また、レンズバリア７のエラーの際には、同様にレンズバリア７のエラーに関するメッセージが表示される。このエラーメッセージには、エラー内容と共に、エラー内容をサポートセンター等に問い合わせる際に用いられるエラーコードと、エラー状態から強制的に復帰させる方法とが含まれている。
【００３２】
ユーザーは、表示モニタ２１のエラーメッセージを読み、例えば、シャッタボタン１２を長く押す等の強制復帰操作を行なうことで、デジタルスチルカメラ２に初期化処理を実行させ、使用可能な状態に復帰させることができる。また、電源オフ時のエラーが頻繁に発生してサポートセンター等に問い合わせる場合には、エラーメッセージを参照してエラーコードを伝えることで、すぐにその対処方法を知ることができる。
【００３３】
デジタルスチルカメラ２の電源オフ時には、ユーザーのデジタルスチルカメラ２に対する注意が稀薄になる。そのため、電源オフ時に発生したエラーはユーザーは気がつきにくい。しかしながら、本発明では電源オン時に前回の電源オフ時のエラーを表示するようにしたので、電源オフ時のエラーを確実にユーザーに知らせることができる。また、エラーが発生したままデジタルスチルカメラ２が使用し続けられることにより、故障が悪化するのを防止することもできる。
【産業上の利用可能性】
【００３４】
なお、上記実施形態は、デジタルスチルカメラを例に説明したが、本発明は、スチル撮影機能を備えたデジタルビデオカメラや、カメラ機能を内蔵した携帯電話や電子手帳等の各種携帯機器、銀塩フイルムを使用する写真カメラにも適用することができる。また、各種電子機器等の電源オフ時のエラー表示にも適用することができる。
【図面の簡単な説明】
【００３５】
【図１】本発明を実施したデジタルスチルカメラの外観形状を示す斜視図である。
【図２】デジタルスチルカメラの背面図である。
【図３】デジタルスチルカメラの構成を示すブロック図である。
【図４】電源オフ時の処理を示すフローチャートである。
【図５】電源オン時の処理を示すフローチャートである。
【符号の説明】
【００３６】
２    デジタルスチルカメラ
４    レンズ鏡筒
７    レンズバリア
１８  電源ボタン
２１  表示モニタ
２４  全体制御部
３３  フォーカスレンズ
４３  バリア機構
５０  エラー記憶部
【図１】
2005079916.tif 000003
【図２】
2005079916.tif 000004
【図３】
2005079916.tif 000005
【図４】
2005079916.tif 000006
【図５】
2005079916.tif 000007